(57)【要約】【課題】選択対象（例えばコンテンツやフォルダなど）を容易に選択することができる選択装置を提供する。【解決手段】選択装置（テレビジョン装置１００）は、表示信号生成部８と、遷移部９と、確定部１０と、を備える。表示信号生成部８は、表示装置（表示部６）の表示画面上に、全ての選択対象に関して各選択対象を表象する各表象画像を一画面で表示させるための表示信号を生成する。遷移部９は、第１の操作信号に基づいて、前記全ての選択対象に含まれる同じ系統の複数の選択対象をそれぞれ表象する複数の前記表象画像の中から仮選択する表象画像を順次遷移させる。確定部１０は、仮選択されている前記表象画像の選択を、第２の操作信号に基づいて確定する。【選択図】図１
2015118598.tif 000002
【特許請求の範囲】
【請求項１】
表示装置の表示画面上に、全ての選択対象に関して各選択対象を表象する各表象画像を一画面で表示させるための表示信号を生成する表示信号生成部と、
第１の操作信号に基づいて、前記全ての選択対象に含まれる同じ系統の複数の選択対象をそれぞれ表象する複数の前記表象画像の中から仮選択する表象画像を順次遷移させる遷移部と、
仮選択されている前記表象画像の選択を、第２の操作信号に基づいて確定する確定部と、
を備える選択装置。
【請求項２】
前記遷移部は、仮選択する表象画像を第１の操作信号に基づいて一巡させることができる請求項１に記載の選択装置。
【請求項３】
前記表示信号生成部は、前記全ての選択対象に含まれる同じ系統の複数の選択対象をそれぞれ表象する複数の前記表象画像を配置する前記表示画面上の領域を系統毎に設定する請求項１又は請求項２に記載の選択装置。
【請求項４】
前記確定部によって選択が確定された前記表象画像に対応する選択対象が映像コンテンツであれば、前記表示信号生成部は、前記確定部によって選択が確定された前記表象画像に対応する選択対象の表示サイズを一定のサイズに設定する請求項１〜請求項３のいずれか１項に記載の選択装置。
【請求項５】
前記遷移部において仮選択対象となる前記表象画像に対応する選択対象の系統を変更する変更部を備える請求項１〜請求項４のいずれか１項に記載の選択装置。
【発明の詳細な説明】
【技術分野】
【０００１】
本発明は、選択対象（例えばコンテンツやフォルダなど）を表象する表象画像を選択する選択装置に関する。
【背景技術】
【０００２】
光ディスク装置、ＳＴＢ（Set Top Box）、テレビジョン装置などのコンテンツ出力機器は、出力可能なコンテンツを表象する表象画像を、内蔵している表装置または外部接続される表示装置に表示する。従来は、例えば特許文献１で開示されているコンテンツ情報の表示や特許文献２で開示されている番組関連情報の表示と同様に、出力可能なコンテンツを表象する表象画像をタイル状に並べて表示装置の表示画面に表示している。このような従来の表象画像表示の一例を図１５に示す。
【０００３】
図１５に示す従来の表象画像表示は、メインコンテンツを表象する表象画像Ｓ１００と、第１〜第５のサブコンテンツを表象する表象画像Ｓ１０１〜Ｓ１０５とをタイル状に並べ、表象画像Ｓ１００を表象画像Ｓ１０１〜Ｓ１０５よりも大きく表示している。表象画像Ｓ１００〜Ｓ１０５としては、例えばそれぞれ対応しているコンテンツのサムネイル画像を用いることができる。
【０００４】
また、図１５に示す従来の表象画像表示では、表象画像Ｓ１００〜Ｓ１０５に加えてポインタＰ０も表示されている。リモートコントロール送信機として機能する携帯情報端末のタッチパネルを用いた遠隔操作によって、ポインタＰ０の位置を変更することができる。選択したい表象画像にポインタＰ０を重ねた状態で選択を確定する操作を行うことで、所望の表象画像ひいては所望の表象画像に対応しているコンテンツを選択することができる。
【０００５】
なお、ポインタＰ０を表示せず、仮選択されている表象画像を強調表示する表象画像表示もある。この場合、リモートコントロール送信機の十字キーを用いた遠隔操作によって、仮選択する表象画像を変更することができる。選択したい表象画像を仮選択した状態で選択を確定する操作を行うことで、所望の表象画像ひいては所望の表象画像に対応しているコンテンツを選択することができる。
【０００６】
例えば第２のサブコンテンツを表象する表象画像Ｓ１０２が選択されると、図１６に示すように第２のサブコンテンツを表象する表象画像Ｓ１０２とメインコンテンツを表象する表象画像Ｓ１００とが入れ替わり、その後、表象画像Ｓ１０２の表示領域で第２のサブコンテンツの再生画像が表示される。或いは、図１７に示すように第２のサブコンテンツを表象する表象画像Ｓ１０２が全画面に表示され、その後、表象画像Ｓ１０２の表示領域で第２のサブコンテンツの再生画像が表示される。
【先行技術文献】
【特許文献】
【０００７】
【特許文献１】特開２０１０−２５２１４７号公報
【特許文献２】特開２００６−１６５６７０号公報
【発明の概要】
【発明が解決しようとする課題】
【０００８】
上述した従来の選択方法では、リモートコントロール送信機として機能する携帯情報端末のタッチパネルを用いた遠隔操作に関しては習熟していないと操作が難しく、リモートコントロール送信機の十字キーを用いた遠隔操作に関しては操作が煩わしいという問題があった。
【０００９】
また、図１６に示すように表象画像が入れ替わる表示では、表象画像の数が多いと、表象画像を入れ替えた後、再度元のコンテンツ（メインコンテンツ）を選択する場合に元のコンテンツを表象する表象画像Ｓ１００の配置場所を覚えておく必要があるため、不便であった。図１７に示すように選択されたコンテンツが全画面に表示されると、特に全画面表示する必要のないコンテンツ（例えば音声コンテンツ）が選択された場合でも全画面表示となり、表示に無駄が生じていた。
【００１０】
本発明は、上記の状況に鑑み、選択対象（例えばコンテンツやフォルダなど）を容易に選択することができる選択装置を提供することを目的とする。
【課題を解決するための手段】
【００１１】
上記目的を達成するために本発明に係る選択装置は、表示装置の表示画面上に、全ての選択対象に関して各選択対象を表象する各表象画像を一画面で表示させるための表示信号を生成する表示信号生成部と、第１の操作信号に基づいて、前記全ての選択対象に含まれる同じ系統の複数の選択対象をそれぞれ表象する複数の前記表象画像の中から仮選択する表象画像を順次遷移させる遷移部と、仮選択されている前記表象画像の選択を、第２の操作信号に基づいて確定する確定部と、を備える構成（第１の構成）とする。
【００１２】
このような構成によると、全ての選択対象を同時に確認することができ、且つ、仮選択を行うための操作及び本選択を行うための操作を簡単にすることができるので、選択対象を容易に選択することができる。
【００１３】
上記第１の構成の選択装置において、前記遷移部は、仮選択する表象画像を第１の操作信号に基づいて一巡させることができる構成（第２の構成）であることが好ましい。
【００１４】
このような構成によると、仮選択する表象画像を逆方向に遷移させる操作が不要になるため、仮選択を行うための操作をより一層簡単にすることができる。
【００１５】
また、上記第１又は第２の構成の選択装置において、前記表示信号生成部は、前記全ての選択対象に含まれる同じ系統の複数の選択対象をそれぞれ表象する複数の前記表象画像を配置する前記表示画面上の領域を系統毎に設定する構成（第３の構成）であることが好ましい。
【００１６】
このような構成によると、系統毎にまとまった表示配置にすることが容易になる。なお、系統毎に設定された表示画面上の領域は、複数の領域間で重複する部分があっても構わない。
【００１７】
また、上記第１〜３のいずれかの構成の選択装置において、前記確定部によって選択が確定された前記表象画像に対応する選択対象が映像コンテンツであれば、前記表示信号生成部は、前記確定部によって選択が確定された前記表象画像に対応する選択対象の表示サイズを一定のサイズに設定する構成（第４の構成）であることが好ましい。
【００１８】
このような構成によると、表象画像の数が増えた場合でも、選択された映像コンテンツの表示サイズを一定のサイズに保つことができ、選択された映像コンテンツをユーザーが快適に鑑賞することができる。
【００１９】
また、上記第１〜４のいずれかの構成の選択装置において、前記遷移部において仮選択対象となる前記表象画像に対応する選択対象の系統を変更する変更部を備える構成（第５の構成）であることが好ましい。
【００２０】
このような構成によると、各系統の選択対象を仮選択対象とすることができる。
【発明の効果】
【００２１】
本発明によると、全ての選択対象を同時に確認することができ、且つ、仮選択を行うための操作及び本選択を行うための操作を簡単にすることができるので、選択対象を容易に選択することができる。
【図面の簡単な説明】
【００２２】
【図１】本発明の第１実施形態に係る選択装置の概略構成を示す図である。
【図２】携帯情報端末の概略構成を示す図である。
【図３】本発明の第１実施形態に係る選択装置の動作を示すフローチャートである。
【図４】表示部の表示画面を模式的に示す図である。
【図５】表示部の表示画面を模式的に示す図である。
【図６】表示部の表示画面を模式的に示す図である。
【図７】携帯情報端末の正面図である。
【図８】表示部の表示画面を模式的に示す図である。
【図９】表示部の表示画面を模式的に示す図である。
【図１０】表示部の表示画面を模式的に示す図である。
【図１１】表示部の表示画面を模式的に示す図である。
【図１２】表示部の表示画面を模式的に示す図である。
【図１３】本発明の第２実施形態に係る選択装置の動作を示すフローチャートである。
【図１４】携帯情報端末の正面図である。
【図１５】従来の表象画像表示の一例を示す図である。
【図１６】従来の表象画像表示の一例を示す図である。
【図１７】従来の表象画像表示の一例を示す図である。
【発明を実施するための形態】
【００２３】
本発明の実施形態について図面を参照して以下に説明する。後述する実施形態はあくまで例示であり、本発明は後述する実施形態に限定されるものではない。各実施形態は矛盾のない限り、適宜組み合わせて実施することができ、また、各実施形態で説明する例示や変形例は矛盾のない限り、他の実施形態にも適用することができる。
【００２４】
＜第１実施形態＞
図１は、本発明の第１実施形態に係る選択装置の概略構成を示す図である。本発明の第１実施形態に係る選択装置であるテレビジョン装置１００の概略構成について説明する。テレビジョン装置１００は、表示装置を内蔵する選択装置であって、チューナー部１と、外部入力インターフェース部２と、無線通信インターフェース部３と、ＬＡＮインターフェース部４と、制御部５と、表示装置に該当する表示部６と、音声出力部７とを備えている。
【００２５】
チューナー部１は、アンテナなどから供給される放送信号に対して選局処理、復調処理などを施し、選局された放送局の番組データ（コンテンツデータ）を制御部５に出力する。
【００２６】
外部入力インターフェース部２は、例えばＨＤＭＩ（登録商標）ケーブルを介して外部のコンテンツ出力機器との接続が可能であり、外部のコンテンツ出力機器から供給されるコンテンツデータを制御部５に出力する。外部のコンテンツ出力機器としては、例えば、光ディスク装置、ハードディスク装置、或いはこれらの複合機などを挙げることができる。
【００２７】
無線通信インターフェース部３は、外部の無線通信機器と無線通信が可能であり、外部の無線通信機器から供給されるコンテンツデータや遠隔操作信号を制御部５に出力する。無線通信の方式は特に限定されないが、例えばBluetooth（登録商標）通信、Ｗｉ−Ｆｉ（登録商標）通信などを挙げることができる。無線通信インターフェース部３は、単一の無線通信方式にのみ対応する構成、複数の無線通信方式に対応する構成のいずれであっても構わない。
【００２８】
ＬＡＮインターフェース部４は、ＬＡＮケーブルを介して外部のＬＡＮルータなどとの接続が可能である。無線通信インターフェース部３がＷｉ−Ｆｉ（登録商標）通信に対応していない場合であっても、ＬＡＮインターフェース部４に外部の無線ＬＡＮルータを接続することで、テレビジョン装置１００と外部の無線通信機器とのＷｉ−Ｆｉ（登録商標）通信が可能になる。
【００２９】
制御部５は、ＳｏＣ（System On Chip）により構成されており、テレビジョン装置１００全体を制御する。制御部５は、不揮発的に記憶している所定のプログラムを実行することにより、表示信号生成部８、遷移部９、確定部１０、及び変更部１１を有する制御部として動作することになる。表示信号生成部８、遷移部９、確定部１０、及び変更部１１の詳細については後述する。
【００３０】
表示部６は、制御部５から出力される表示信号に基づく表示を行う。表示部６の種類は特に限定されないが、例えば液晶表示部などの薄型表示部であることが望ましく、また、多数の表象を良好に表示できるように高精細（例えば３８４０×２１６０ピクセルの解像度や４０９６×２１６０ピクセルの解像度など）かつ大画面の表示部であることが望ましい。
【００３１】
音声出力部７は、スピーカにより構成されており、制御部５から出力される音声信号に基づく音声出力を行う。
【００３２】
図２は、無線通信機器の一例である携帯情報端末２００の概略構成を示す図である。スマートフォンやタブレット端末等の携帯情報端末２００は、制御部１２と、タッチパネル１３と、無線通信部１４とを備えている。
【００３３】
制御部１２は、携帯情報端末２００全体を制御する制御部であり、例えばＡｎｄｒｏｉｄ（登録商標）と呼ばれるオペレーティングシステムを内部メモリに格納しており、当該オペレーティングシステムに従って制御動作を行う。また、制御部１２は、テレビジョン装置１００の遠隔操作を実現するための専用アプリケーションソフトウェア（以下、「専用アプリ」と略す）を内部メモリに格納している。さらに、制御部１２は、コンテンツも内部メモリに格納している。
【００３４】
タッチパネル１３は、ユーザー操作を受け付ける入力部であるとともに、コンテンツの画像等を表示する表示部である。また、無線通信部１４は、テレビジョン装置１００の無線通信インターフェース部３或いはテレビジョン装置１００のＬＡＮインターフェース部４に接続される無線ＬＡＮルータと無線通信を行う。
【００３５】
次に、本発明の第１実施形態に係る選択装置（テレビジョン装置１００）の動作について図３のフローチャートを参照して説明する。なお、図３中に記載している第１〜第３の携帯情報端末の構成はいずれも図２に示す携帯情報端末２００の構成と同一である。
【００３６】
ここでは、テレビジョン装置１００が外部入力モードになっている状態でフロー動作が開始されるものとして説明を行う。まず、テレビジョン装置１００は、表示部６の初期画面として、図４に示すように表示部６の表示画面全面に外部入力映像（外部のコンテンツ出力機器から外部入力インターフェース部２に供給されるコンテンツデータに基づく映像）を表示する（ステップ＃４１０）。
【００３７】
ユーザーが第３の携帯情報端末のタッチパネル１３に対して専用アプリを起動させるための操作を行うと、第３の携帯情報端末において専用アプリが起動し、第３の携帯情報端末が遠隔操作機器として動作する（ステップ＃３１０）。
【００３８】
次に、テレビジョン装置１００と第１の携帯情報端末との間で無線通信のリンクが確立される（ステップ＃１１０及び＃４２０）。当該リンクの確立は、どのような手法で実施されても良い。例えば第１の携帯情報端末に対するユーザーの所定の操作を契機に実施されてもよく、第１の携帯情報端末がテレビジョン装置１００の無線通信可能領域内に位置すると自動的に実施されてもよい。
【００３９】
次に、テレビジョン装置１００と第２の携帯情報端末との間で無線通信のリンクが確立される（ステップ＃２１０及び＃４３０）。当該リンクの確立は、どのような手法で実施されても良い。例えば第２の携帯情報端末に対するユーザーの所定の操作を契機に実施されてもよく、第２の携帯情報端末がテレビジョン装置１００の無線通信可能領域内に位置すると自動的に実施されてもよい。
【００４０】
次に、テレビジョン装置１００と第３の携帯情報端末との間で無線通信のリンクが確立される（ステップ＃３２０及び＃４４０）。当該リンクの確立は、どのような手法で実施されても良い。例えば第３の携帯情報端末に対するユーザーの所定の操作を契機に実施されてもよく、第３の携帯情報端末がテレビジョン装置１００の無線通信可能領域内に位置すると自動的に実施されてもよい。
【００４１】
リンク確立の順番は入れ替わっても構わない。また、ステップ＃３１０とステップ＃３２０の順番が入れ替わっても構わない。
【００４２】
第１の携帯情報端末からテレビジョン装置１００に動画コンテンツ自体のデータが転送されると（ステップ＃１２０）、テレビジョン装置１００は、転送されてきた動画コンテンツ自体のデータを受信し（ステップ＃４５０）、その受信したデータを制御部５の内蔵メモリに記憶する（ステップ＃４６０）。転送されてきた動画コンテンツは外部入力映像と同じ系統のコンテンツ（映像コンテンツ）である。このため、テレビジョン装置１００の表示信号生成部８は、外部入力映像を表象するサムネイル画像Ｓ１と第１の携帯情報端末から転送されてきた動画コンテンツを表象するサムネイル画像Ｓ２とが最上位仮想線Ｌ１上に配置される表示を表示部６に行わせるための表示信号を生成する（ステップ＃４７０）。
【００４３】
ステップ＃４７０の処理終了時において、選択対象コンテンツは外部入力映像と第１の携帯情報端末から転送されてきた動画コンテンツの２つだけである。ステップ＃４７０の処理終了時において、表示部６は図５に示すような表示を行っている。サムネイル画像Ｓ１は、仮選択されている状態であるため強調表示されている。図５に示す表示では、サムネイル画像Ｓ１の中心Ｃ１とサムネイル画像Ｓ２の中心Ｃ２がそれぞれ最上位仮想線Ｌ１と重なるようにサムネイル画像Ｓ１及びＳ２が配置される。最上位仮想線Ｌ１は始点と終点とが一致したループ形状である。また、最上位仮想線Ｌ１はあくまで仮想線であるため、実際には表示しないようにする。なお、後述する他の仮想線（第２位仮想線Ｌ２、第３位仮想線Ｌ３）も最上位仮想線Ｌ１と同様に、始点と終点とが一致したループ形状し、実際には表示しないようにする。
【００４４】
なお、本実施形態では、説明を簡単にするため、第１の携帯情報端末から転送されてきた動画コンテンツを１つとしたが、第１の携帯情報端末から転送されてきた動画コンテンツは複数であってもよい。第１の携帯情報端末から転送されてきた動画コンテンツが複数である場合は、各動画コンテンツに対応するサムネイル画像が表示されるようにすればよい。
【００４５】
次に、第２の携帯情報端末からテレビジョン装置１００に動画コンテンツ自体のデータが転送されると（ステップ＃２２０）、テレビジョン装置１００は、転送されてきた動画コンテンツ自体のデータを受信し（ステップ＃４８０）、その受信したデータを制御部５の内蔵メモリに記憶する（ステップ＃４９０）。第２の携帯情報端末から転送されてきた動画コンテンツは外部入力映像及び第１の携帯情報端末から転送されてきた動画コンテンツと同じ系統のコンテンツ（映像コンテンツ）である。このため、テレビジョン装置１００の表示信号生成部８は、外部入力映像を表象するサムネイル画像Ｓ１と第１の携帯情報端末から転送されてきた動画コンテンツを表象するサムネイル画像Ｓ２と第２の携帯情報端末から転送されてきた動画コンテンツを表象するサムネイル画像Ｓ３とが最上位仮想線Ｌ１上に配置される表示を表示部６に行わせるための表示信号を生成する（ステップ＃５００）。
【００４６】
ステップ＃５００の処理終了時において、選択対象コンテンツは外部入力映像と第１の携帯情報端末から転送されてきた動画コンテンツと第２の携帯情報端末から転送されてきた動画コンテンツの３つだけである。ステップ＃５００の処理終了時において、表示部６は図６に示すような表示を行っている。サムネイル画像Ｓ１は、仮選択されている状態であるため強調表示されている。図６に示す表示では、サムネイル画像Ｓ１の中心Ｃ１とサムネイル画像Ｓ２の中心Ｃ２とサムネイル画像Ｓ３の中心Ｃ３がそれぞれ最上位仮想線Ｌ１と重なるようにサムネイル画像Ｓ１〜Ｓ３が配置される。
【００４７】
なお、本実施形態では、説明を簡単にするため、第２の携帯情報端末から転送されてきた動画コンテンツを１つとしたが、第２の携帯情報端末から転送されてきた動画コンテンツは複数であってもよい。第２の携帯情報端末から転送されてきた動画コンテンツが複数である場合は、各動画コンテンツに対応するサムネイル画像が表示されるようにすればよい。
【００４８】
次に、第３の携帯情報端末はユーザーのタッチパネル操作に従って、コンテンツを選択するための第１の操作信号及び第２の操作信号をテレビジョン装置１００に送信する（ステップ＃３３０）。
【００４９】
ユーザーが指をタッチパネル１３に触れた状態で図７に示すように時計回りに回動させると、指が所定の角度回動する毎に第３の携帯情報端末は第１の操作信号を送信する。テレビジョン装置１００の遷移部９は、仮選択する表象画像を第１の操作信号に基づいて順次遷移させる。表示部６が図６に示す表示を行っている状態でテレビジョン装置１００が第１の操作信号を受信すると、サムネイル画像Ｓ１の代わりにサムネイル画像Ｓ２が強調表示される。サムネイル画像Ｓ２が強調表示されている状態でテレビジョン装置１００が第１の操作信号を受信すると、サムネイル画像Ｓ２の代わりにサムネイル画像Ｓ３が強調表示される。サムネイル画像Ｓ３が強調表示されている状態でテレビジョン装置１００が第１の操作信号を受信すると、サムネイル画像Ｓ３の代わりにサムネイル画像Ｓ１が強調表示され図６に示す表示に戻る。
【００５０】
その後、ユーザーがタッチパネル１３の中心部に対してタップ操作を行うと、第３の携帯情報端末は第２の操作信号を送信する。テレビジョン装置１００の確定部１０は、仮選択されている表象画像の選択を、第２の操作信号に基づいて確定する。表示部６が図６に示す表示を行っている状態でテレビジョン装置１００が第２の操作信号を受信すると、サムネイル画像Ｓ２の選択が確定する。
【００５１】
テレビジョン装置１００の表示信号生成部８は、選択されたコンテンツ（ここではサムネイル画像Ｓ２に対応するコンテンツ）を一定の表示サイズに拡大して表示し、サムネイル画像Ｓ２の中心Ｃ２とサムネイル画像Ｓ３の中心Ｃ３がそれぞれ第２位仮想線Ｌ２と重なるようにサムネイル画像Ｓ２及びＳ３が配置される表示を表示部６に行わせるための表示信号を生成する（ステップ＃５１０）。
【００５２】
ステップ＃５１０の処理終了時において、表示部６は図８に示すような表示を行っている。サムネイル画像Ｓ２は、仮選択されている状態であるため強調表示されている。図８に示す表示では、サムネイル画像Ｓ２の中心Ｃ２とサムネイル画像Ｓ３の中心Ｃ３がそれぞれ第２位仮想線Ｌ２と重なるようにサムネイル画像Ｓ２及びＳ３が配置される。また、図８に示す表示では、選択されたコンテンツの表示領域ＳＬ１の中心Ｃ４と第２位仮想線Ｌ２によって囲まれる領域の中心Ｃ５がそれぞれ最上位仮想線Ｌ１と重なるように表示領域ＳＬ１及び第２位仮想線Ｌ２が配置される。
【００５３】
第１の携帯情報端末からテレビジョン装置１００に音声コンテンツ自体のデータが転送されると（ステップ＃１３０）、テレビジョン装置１００は、転送されてきた音声コンテンツ自体のデータを受信し（ステップ＃５２０）、その受信したデータを制御部５の内蔵メモリに記憶する（ステップ＃５３００）。転送されてきた音声コンテンツは映像コンテンツとは異なる系統のコンテンツである。このため、テレビジョン装置１００の表示信号生成部８は、音声コンテンツを表象するアイコン画像Ｓ４が第３位仮想線Ｌ３上に配置される表示を表示部６に行わせるための表示信号を生成する（ステップ＃５４０）。
【００５４】
ステップ＃５４０の処理終了時において、表示部６は図９に示すような表示を行っている。図９に示す表示は、第１の携帯情報端末から４つのコンテンツが転送された場合の表示例である。図９に示す表示では、第３位仮想線Ｌ３によって囲まれる領域の中心Ｃ６が最上位仮想線Ｌ１と重なるように第３位仮想線Ｌ３が配置される。
【００５５】
図３において図示を省略しているが、第２の携帯情報端末からテレビジョン装置１００に音声コンテンツ自体のデータが転送されると、テレビジョン装置１００は、転送されてきた音声コンテンツ自体のデータを受信し、その受信したデータを制御部５の内蔵メモリに記憶する。第２の携帯情報端末から転送されてきた音声コンテンツは第１の携帯情報端末から転送されてきた音声コンテンツと同じ系統のコンテンツである。このため、テレビジョン装置１００の表示信号生成部８は、第１及び第２の携帯情報端末から転送されてきた音声コンテンツを表象するアイコン画像Ｓ４及びＳ５が第３位仮想線Ｌ３上に配置される表示を表示部６に行わせるための表示信号を生成する。当該処理の終了時において、表示部６は図１０に示すような表示を行っている。図１０に示す表示は、第２の携帯情報端末から４つのコンテンツが転送された場合の表示例である。
【００５６】
次に、第３の携帯情報端末はユーザーのタッチパネル操作に従って、系統を変更するための第３の操作信号をテレビジョン装置１００に送信する。
【００５７】
ユーザーが指をタッチパネル１３に対して特定方向（例えば上方向）にフリック操作を行うと、第３の携帯情報端末は第３の操作信号を送信する。また、ユーザーが指をタッチパネル１３に対して他の特定方向（例えば下方向）にフリック操作を行うと、第３の携帯情報端末は第４の操作信号を送信する。テレビジョン装置１００の変更部１１は、遷移部９において仮選択対象となる表象画像に対応するコンテンツの系統を第３の操作信号または第４の操作信号に基づいて変更する。表示部６が図１０に示す表示を行っている状態でテレビジョン装置１００が第３の操作信号を受信すると、変更部１１が遷移部９において仮選択対象となる表象画像に対応するコンテンツの系統を１つ下位の仮想線に対応する系統に変更するため、図１１に示す表示となる。逆に、表示部６が図１１に示す表示を行っている状態でテレビジョン装置１００が第４の操作信号を受信すると、変更部１１が遷移部９において仮選択対象となる表象画像に対応するコンテンツの系統を１つ上位の仮想線に対応する系統に変更するため、図１０に示す表示となる。なお、本実施形態では、遷移部９において仮選択対象となる表象画像に対応するコンテンツの系統を変更するための操作信号を２種類設けたが、操作信号を１種類としその１種類の操作信号に基づいて系統の変更を一巡できるようにしてもよい。
【００５８】
表示部６が図１１に示す表示を行っている状態でテレビジョン装置１００が第２の操作信号を受信すると、仮選択されているアイコン画像Ｓ４（強調表示されているアイコン画像Ｓ４）の選択が確定し、選択されたアイコン画像Ｓ４に対応する音声コンテンツの再生が開始される。
【００５９】
選択されたアイコン画像Ｓ４に対応する音声コンテンツが再生されているとき、図１２に示すように再生中の音声コンテンツを表象するアイコン画像Ｓ４を拡大して最上位仮想線Ｌ１上に配置する。これにより、再生中のどの音声コンテンツが再生されているかをユーザーが容易に把握できる。また、図１２では、第２位仮想線Ｌ２で囲まれる領域を細長い形状にすることで、第２位仮想線Ｌ２上に配置するサムネイル画像Ｓ１〜Ｓ３を見かけ上一直線に配置している。
【００６０】
なお、図１１に示す表示から図１２に示す表示への切り替えを行わずに、図１１に示す表示のままで、選択されたアイコン画像Ｓ４に対応する音声コンテンツが再生されてもよい。
【００６１】
以上説明した本実施形態に係るテレビジョン装置１００は、表示部６の表示画面上に、全ての選択対象（コンテンツ）に関して各選択対象を表象する各表象画像を一画面で表示させるための表示信号を生成する表示信号生成部８と、第１の操作信号に基づいて、全ての選択対象に含まれる同じ系統の複数の選択対象をそれぞれ表象する複数の表象画像の中から仮選択する表象画像を順次遷移させる遷移部９と、仮選択されている表象画像の選択を、第２の操作信号に基づいて確定する確定部１０と、を備える構成である。
【００６２】
このような構成によると、全ての選択対象を同時に表示部６の表示画面上で確認することができ、且つ、仮選択を行うための操作及び本選択を行うための操作を簡単にすることができるので、選択対象を容易に選択することができる。
【００６３】
また、本実施形態に係るテレビジョン装置１００は、遷移部９が、仮選択する表象画像を第１の操作信号に基づいて一巡させることができる構成である。
【００６４】
このような構成によると、仮選択する表象画像を逆方向に遷移させる操作が不要になるため、仮選択を行うための操作をより一層簡単にすることができる。
【００６５】
また、本実施形態に係るテレビジョン装置１００は、全ての選択対象に含まれる同じ系統の複数の選択対象をそれぞれ表象する複数の表象画像を同じ仮想線上に配置しているので、表示信号生成部８が、全ての選択対象に含まれる同じ系統の複数の選択対象をそれぞれ表象する複数の表象画像を配置する表示画面上の領域を系統毎に設定する構成である。
【００６６】
このような構成によると、系統毎にまとまった表示配置にすることが容易になる。なお、系統毎に設定された表示画面上の領域は、複数の領域間で重複する部分があっても構わない。
【００６７】
また、本実施形態に係るテレビジョン装置１００は、確定部１０によって選択が確定された表象画像に対応する選択対象が映像コンテンツであれば、表示信号生成部８が、確定部１０によって選択が確定された表象画像に対応する選択対象の表示サイズを一定のサイズに設定する構成である。
【００６８】
このような構成によると、表象画像の数が増えた場合でも、選択された映像コンテンツの表示サイズを一定のサイズに保つことができ、選択された映像コンテンツをユーザーが快適に鑑賞することができる。
【００６９】
また、本実施形態に係るテレビジョン装置１００は、遷移部９において仮選択対象となる表象画像に対応する選択対象の系統を変更する変更部１１を備える構成である。
【００７０】
このような構成によると、各系統の選択対象を仮選択対象とすることができる。
【００７１】
＜第２実施形態＞
本発明の第２実施形態に係る選択装置の概略構成は、本発明の第１実施形態に係る選択装置の概略構成と同様である。
【００７２】
また、本実施形態に係る選択装置の基本的な動作及び表示部６の各表示も本発明の第１実施形態と同様である。
【００７３】
本実施形態に係る選択装置の動作において、本発明の第１実施形態と異なる部分について図１３のフローチャートを参照して説明する。
【００７４】
本実施形態では、無線通信のリンク確立が完了した後、第１の携帯情報端末からテレビジョン装置１００に動画コンテンツ情報のデータが転送される。
【００７５】
第１の携帯情報端末からテレビジョン装置１００に動画コンテンツ情報のデータが転送されると（ステップ＃１２１）、テレビジョン装置１００は、転送されてきた動画コンテンツ情報のデータを受信し（ステップ＃４５１）、その受信したデータを用いて動画コンテンツを表象するサムネイル画像Ｓ２を生成する（ステップ＃４６１）。
【００７６】
また本実施形態では、ステップ＃４７０の処理終了後、第２の携帯情報端末からテレビジョン装置１００に動画コンテンツ情報のデータが転送される。
【００７７】
第２の携帯情報端末からテレビジョン装置１００に動画コンテンツ情報のデータが転送されると（ステップ＃２２１）、テレビジョン装置１００は、転送されてきた動画コンテンツ情報のデータを受信し（ステップ＃４８１）、その受信したデータを用いて動画コンテンツを表象するサムネイル画像Ｓ３を生成する（ステップ＃４９１）。
【００７８】
また本実施形態では、テレビジョン装置１００は、選択されたコンテンツ（ここではサムネイル画像Ｓ２に対応するコンテンツ）を格納している第１の携帯情報端末に再生依頼信号を送信する（ステップ＃５１１）。第１の携帯情報端末は、その再生依頼信号に応答して、サムネイル画像Ｓ２に対応するコンテンツ自体のデータをテレビジョン装置１００に転送する（ステップ＃１２２）。
【００７９】
また本実施形態では、ステップ＃５１０の処理終了後、第１の携帯情報端末からテレビジョン装置１００に音声コンテンツ情報のデータが転送される。
【００８０】
第１の携帯情報端末からテレビジョン装置１００に音声コンテンツ情報のデータが転送されると（ステップ＃１３１）、テレビジョン装置１００は、転送されてきた音声コンテンツ情報のデータを受信し（ステップ＃５２１）、その受信したデータを用いて音声コンテンツを表象するアイコン画像Ｓ４を生成する（ステップ＃５３１）。
【００８１】
また図１３において図示を省略しているが、第２の携帯情報端末からテレビジョン装置１００に音声コンテンツ情報のデータが転送されると、テレビジョン装置１００は、転送されてきた音声コンテンツ情報のデータを受信し、その受信したデータを用いて音声コンテンツを表象するアイコン画像Ｓ５を生成する。
【００８２】
本実施形態に係る選択装置概は、本発明の第１実施形態に係る選択装置と同様の効果を奏する。また、本実施形態に係る選択装置概は、全ての選択対象（コンテンツ）を記憶しなくてよいため、制御部５のメモリ容量を削減することができる。
【００８３】
＜第３実施形態＞
本発明の第３実施形態に係る選択装置器の概略構成は、本発明の第１実施形態に係る選択装置の概略構成と同様である。
【００８４】
また、本実施形態に係る選択装置の動作及び表示部６の各表示も本発明の第１実施形態と同様である。
【００８５】
本実施形態では、第３の携帯情報端末に第１の操作信号及び第２の操作信号を送信させるためにユーザーが行うタッチパネル操作の内容が本発明の第１実施形態と異なる。
【００８６】
第３の携帯情報端末において専用アプリの起動が終了すると、第３の携帯情報端末のタッチパネル１３に図１４に示すような２つのソフトウェアキー（「選択」キー、「決定」キー）が表示される。
【００８７】
ユーザーが指をタッチパネル１３の「選択」キーに触れた状態で保持すると、所定の時間が経過する毎に第３の携帯情報端末は第１の操作信号を送信する。その後、ユーザーが指を「選択」キーから離し、タッチパネル１３の「決定」キーに対してタップ操作を行うと、第３の携帯情報端末は第２の操作信号を送信する。
【００８８】
本実施形態に係る選択装置概は、本発明の第１実施形態に係る選択装置と同様の効果を奏する。
【００８９】
＜その他＞
上述した各実施形態では、動画コンテンツを表象する表象画像としてサムネイル画像を用い、音声コンテンツを表象する表象画像としてアイコン画像を用いたが、表象画像はサムネイル画像やアイコン画像に限らない。例えば、テキストデータから生成することができる文字列画像であっても構わない。
【００９０】
また上述した各実施形態では、映像コンテンツと音声コンテンツの区分けにより系統の分類を行ったが、例えばコンテンツ作成者、コンテンツ作成日時、コンテンツを格納している機器などを基準として系統の分類を行ってもよい。
【００９１】
また上述した各実施形態では、仮選択する表象画像が変わる度に強調表示される表象画像の位置が変更する表示であったが、系統の変更がない限り強調表示される表象画像の位置を固定し、仮選択する表象画像が変わる度に仮選択対象となる各表象画像間において表示位置を入れ替えるようにしてもよい。
【００９２】
また上述した各実施形態では、仮選択する表象画像を第１の操作信号に基づいて一巡させることができるようにしているが、一巡させることができない仕様にすることもできる。一巡させることができない仕様にした場合、例えば、ユーザーが指をタッチパネル１３に触れた状態で図７に示すように時計回りに回動させると、指が所定の角度回動する毎に第３の携帯情報端末が第１の操作信号を送信し、ユーザーが指をタッチパネル１３に触れた状態で反時計回りに回動させると、指が所定の角度回動する毎に第３の携帯情報端末が第１の反転操作信号を送信することが好ましい。そして、テレビジョン装置１００の遷移部９は、仮選択する表象画像を第１の操作信号に基づいて順次遷移させ、仮選択する表象画像を第１の反転操作信号に基づいて、第１の操作信号に基づく遷移とは逆方向で、順次遷移させるようにすればよい。
【００９３】
また上述した各実施形態では、選択対象がコンテンツのみであったが、選択対象はコンテンツに限定されない。例えば、少なくとも一つのコンテンツを格納するフォルダも選択対象に含めることができる。フォルダが選択された場合、例えば、選択されたフォルダ内の全てのコンテンツが順次再生されるようにしてもよく、或いは、選択されたフォルダ内の全てのコンテンツを表象する各表象画像を最上位仮想線上に配置するようにしてもよい。また、フォルダの系統は、例えば、フォルダ内のコンテンツの系統に基づいて決定されるようにするとよい。
【符号の説明】
【００９４】
１  チューナー部
２  外部入力インターフェース部
３  無線通信インターフェース部
４  ＬＡＮインターフェース部
５  制御部
６  表示部
７  音声出力部
８  表示信号生成部
９  遷移部
１０  確定部
１１  変更部
１２  制御部
１３  タッチパネル
１４  無線通信部
１００  テレビジョン装置
２００  携帯情報端末
【図１】
2015118598.tif 000003
【図２】
2015118598.tif 000004
【図３】
2015118598.tif 000005
【図４】
2015118598.tif 000006
【図５】
2015118598.tif 000007
【図６】
2015118598.tif 000008
【図７】
2015118598.tif 000009
【図８】
2015118598.tif 000010
【図９】
2015118598.tif 000011
【図１０】
2015118598.tif 000012
【図１１】
2015118598.tif 000013
【図１２】
2015118598.tif 000014
【図１３】
2015118598.tif 000015
【図１４】
2015118598.tif 000016
【図１５】
2015118598.tif 000017
【図１６】
2015118598.tif 000018
【図１７】
2015118598.tif 000019